(57)【特許請求の範囲】
【請求項１】
炎孔部に突起状の点火ターゲットを有するバーナと、
前記点火ターゲットに向けて点火スパークを生じさせることで前記バーナの前記炎孔部から噴出される混合気に点火するための点火プラグと、
前記バーナを収容するとともに、前記点火プラグを取り付けられた壁面を有するバーナケースと、を備え、
前記点火ターゲットは、前記バーナケースの前記点火プラグが取り付けられた前記壁面から離れた位置に配置されており、
前記点火プラグの先端が前記点火ターゲットよりも前記バーナケースの前記点火プラグが取り付けられた前記壁面から遠い位置に配置されており、
前記炎孔部は、幅方向に沿って第１端部濃炎孔部−第１淡炎孔部−中央濃炎孔部−第２淡炎孔部−第２端部濃炎孔部の順で配置された構成を有しており、
前記点火ターゲットは、前記第１および第２端部濃炎孔部の少なくともいずれかを形成する部材に形成されている、燃焼装置。
【請求項２】
前記第１および第２端部濃炎孔部の各々は、前記点火プラグが取り付けられた前記壁面に交差する方向に沿って配置された複数の濃炎孔用孔部を有しており、
前記複数の濃炎孔用孔部のうち前記点火ターゲットが形成された前記濃炎孔用孔部の前記壁面に直交する方向の長さは、他の前記濃炎孔用孔部の前記壁面に直交する方向の長さよりも大きい、請求項１に記載の燃焼装置。
【請求項３】
炎孔部に突起状の点火ターゲットを有するバーナと、
前記点火ターゲットに向けて点火スパークを生じさせることで前記バーナの前記炎孔部から噴出される混合気に点火するための点火プラグと、
前記バーナを収容するとともに、前記点火プラグを取り付けられた壁面を有するバーナケースと、を備え、
前記点火ターゲットは、前記バーナケースの前記点火プラグが取り付けられた前記壁面から離れた位置に配置されており、
前記点火プラグの先端が前記点火ターゲットよりも前記バーナケースの前記点火プラグが取り付けられた前記壁面から遠い位置に配置されており、
前記炎孔部は、幅方向に沿って第１端部濃炎孔部−第１淡炎孔部−中央濃炎孔部−第２淡炎孔部−第２端部濃炎孔部の順で配置された構成を有しており、
前記点火ターゲットは、前記中央濃炎孔部を形成する部材に形成されている、燃焼装置。
【請求項４】
前記中央濃炎孔部の各々は、前記点火プラグが取り付けられた前記壁面に交差する方向に沿って配置された複数の濃炎孔用孔部を有しており、
前記複数の濃炎孔用孔部のうち前記点火ターゲットが形成された前記濃炎孔用孔部の前記壁面に直交する方向の長さは、他の前記濃炎孔用孔部の前記壁面に直交する方向の長さよりも大きい、請求項３に記載の燃焼装置。
【請求項５】
前記点火プラグの先端が、前記バーナケースの前記点火プラグが取り付けられた前記壁面から遠い側の前記点火ターゲットの端部よりも前記バーナケースの前記点火プラグが取り付けられた前記壁面から遠い位置に配置されている、請求項１〜４のいずれか１項に記載の燃焼装置。
【請求項６】
請求項１〜５のいずれか１項に記載の燃焼装置と、
前記燃焼装置上に配置された熱交換器とを備えた、給湯器。
【発明の詳細な説明】
【技術分野】
【０００１】
本発明は、燃焼装置および給湯器に関するものである。
【背景技術】
【０００２】
近年の給湯器は環境面を配慮して低ＮＯXバーナである濃淡バーナを搭載している。この濃淡バーナの火炎は、淡火炎の両外側に濃火炎が形成され、濃火炎の外側には二次空気を流すことが一般的である。
【０００３】
濃淡バーナに点火する場合、点火プラグの先端から濃炎孔に向けて斜め方向に高圧放電を行うと点火性能が向上すること、濃炎孔を形成する部材に点火用の点火ターゲットを形成すると点火性能が向上することは知られている。このような濃淡バーナの点火位置や、点火の点火ターゲットに関する技術は、たとえば特開２００２−２１３７１４号公報（特許文献１参照）、特開２００３−２６９７０５号公報（特許文献２参照）などに開示されている。
【先行技術文献】
【特許文献】
【０００４】
【特許文献１】特開２００２−２１３７１４号公報
【特許文献２】特開２００３−２６９７０５号公報
【発明の概要】
【発明が解決しようとする課題】
【０００５】
一方で、給湯器は長期間にわたって使用される製品であり、その使用年数とともに濃淡バーナの炎孔部には、燃焼ガスが熱交換器の銅材などと反応して生成される析出物が堆積していく場合がある。このような析出物により炎孔部が閉塞されて混合気が出にくくなる結果、点火プラグによる点火が困難になるという問題がある。
【０００６】
本発明は、上記の課題を鑑みてなされたものであり、その目的は、析出物の影響を抑えて点火の容易な燃焼装置および給湯器を提供することである。
【課題を解決するための手段】
【０００７】
本発明の燃焼装置は、バーナと、点火プラグと、バーナケースとを備えている。バーナは、炎孔部に突起状の点火ターゲットを有している。点火プラグは、点火ターゲットに向けて点火スパークを生じさせることでバーナの炎孔部から噴出される混合気に点火するためのものである。バーナケースは、バーナを収容するとともに、点火プラグを取り付けられた壁面を有している。点火ターゲットは、バーナケースの点火プラグが取り付けられた壁面から離れた位置に配置されている。点火プラグの先端が点火ターゲットよりもバーナケースの点火プラグが取り付けられた壁面から遠い位置に配置されている。
【０００８】
本発明の燃焼装置によれば、点火プラグの先端が点火ターゲットよりもバーナケースの点火プラグが取り付けられた壁面から遠い位置に配置されている。使用年数とともにバーナの炎孔部に堆積する析出物は主に、バーナケースの壁面沿いに堆積しやすい傾向があることが分かった。このため、点火プラグの先端を点火ターゲットよりも壁面から遠い位置に配置することにより、点火プラグの先端を点火ターゲットよりも壁面から近い位置に配置した場合よりも析出物の影響を抑えて点火の容易な燃焼装置を実現することができる。
【０００９】
上記の燃焼装置において、点火プラグの先端が、バーナケースの点火プラグが取り付けられた壁面から遠い側の点火ターゲットの端部よりもバーナケースの点火プラグが取り付けられた壁面から遠い位置に配置されている。
【００１０】
これにより析出物の堆積による影響をより顕著に抑えることができ、点火プラグによる点火をより確実に行うことが可能となる。
【００１１】
上記の燃焼装置において、炎孔部は、幅方向に沿って第１端部濃炎孔部−第１淡炎孔部−中央濃炎孔部−第２淡炎孔部−第２端部濃炎孔部の順で配置された構成を有している。点火ターゲットは、第１および第２端部濃炎孔部の少なくともいずれかを形成する部材に形成されている。
【００１２】
析出物の堆積による点火性能の影響を小さくするためには濃炎孔部を大きくすることが考えられるが、中央濃炎孔部の横には二次空気が流れていないため、第１および第２端部濃炎孔部の各噴出口の寸法を大きくする方が、中央濃炎孔部の噴出口の寸法を大きくするよりも濃炎を安定して形成することができる。このため、第１および第２端部濃炎孔部に点火ターゲットを配置することにより点火性能の向上と燃焼の安定を両立することができる。
【００１３】
上記の燃焼装置において、第１および第２端部濃炎孔部の各々は、点火プラグが取り付けられた壁面に交差する方向に沿って配置された複数の濃炎孔用孔部を有している。複数の濃炎孔用孔部のうち点火ターゲットが形成された濃炎孔用孔部の壁面に直交する方向の長さは、他の濃炎孔用孔部の壁面に直交する方向の長さよりも大きい。
【００１４】
これにより点火ターゲットが形成された濃炎孔用孔部に析出物が落下してきても濃炎孔用孔部が詰まる可能性が低くなり、着火が容易となる。
【００１５】
上記の燃焼装置において、炎孔部は、幅方向に沿って第１端部濃炎孔部−第１淡炎孔部−中央濃炎孔部−第２淡炎孔部−第２端部濃炎孔部の順で配置された構成を有している。点火ターゲットは、中央濃炎孔部を形成する部材に形成されている。
【００１６】
中央濃炎孔部は第１および第２端部濃炎孔部よりも二次空気の通過部から離れている。このため、この中央濃炎孔部を形成する部材に点火ターゲットを形成することにより、第１および第２端部濃炎孔部を形成する部材に点火ターゲットを形成する場合よりも安定した着火が可能となる。
【００１７】
上記の燃焼装置において、中央濃炎孔部の各々は、点火プラグが取り付けられた壁面に交差する方向に沿って配置された複数の濃炎孔用孔部を有している。複数の濃炎孔用孔部のうち点火ターゲットが形成された濃炎孔用孔部の壁面に直交する方向の長さは、他の濃炎孔用孔部の壁面に直交する方向の長さよりも大きい。
【００１８】
これにより点火ターゲットが形成された濃炎孔用孔部に析出物が落下してきても濃炎孔用孔部が詰まる可能性が低くなり、着火が容易となる。
【００１９】
本発明の給湯器は、上記のいずれかの燃焼装置と、その燃焼装置上に配置された熱交換器とを備えている。
【００２０】
本発明の給湯器によれば、上記のいずれかの燃焼装置を備えているため、析出物の影響を抑えて点火の容易な給湯器を実現することが可能となる。
【発明の効果】
【００２１】
以上説明したように本発明によれば、析出物の影響を抑えて点火の容易な燃焼装置および給湯器を実現することができる。
【図面の簡単な説明】
【００２２】
【図１】本発明の実施の形態１における給湯器の主要部の構成を概略的に示す斜視図である。
【図２】図１の給湯器から熱交換器を省略して示す一部破断概略側面図である。
【図３】図１の給湯器に用いられる本発明の実施の形態１における燃焼装置の構成を概略的に示す斜視図であって、バーナケースの壁面１１Ａを取り外して示す分解斜視図である。
【図４】図３に示す燃焼装置の構成を概略的に示す分解斜視図である。
【図５】図３、４に示す燃焼装置に用いられる本発明の実施の形態１における濃淡バーナの構成を概略的に示す斜視図である。
【図６】図５に示す濃淡バーナの構成を概略的に示す分解斜視図である。
【図７】図５のＶＩＩ−ＶＩＩ線に沿う概略断面図である。
【図８】本発明の実施の形態１における燃焼装置の点火プラグと点火ターゲットとの配置の様子を示す燃焼装置の概略平面図である。
【図９】本発明の実施の形態１における燃焼装置の点火プラグと点火ターゲットとの位置関係を説明するための概略側面図である。
【図１０】本発明の実施の形態１における燃焼装置の点火プラグの先端と点火ターゲットとの位置関係を説明するための概略平面図である。
【図１１】本発明の実施の形態２における燃焼装置の点火プラグと点火ターゲットとの配置の様子を示す燃焼装置の概略平面図である。
【図１２】本発明の実施の形態２における燃焼装置の点火プラグと点火ターゲットとの位置関係を説明するための概略側面図である。
【図１３】本発明の実施の形態２における燃焼装置の点火プラグの先端と点火ターゲットとの位置関係を説明するための概略平面図である。
【図１４】本発明の実施の形態２における燃焼装置において中央濃炎孔部の点火ターゲットが設けられた濃炎孔用孔部の長手方向の寸法が点火ターゲットが設けられていない濃炎孔用孔部の長手方向の寸法よりも大きいことを説明するための概略平面図である。
【発明を実施するための形態】
【００２３】
以下、本発明の実施の形態について図に基づいて説明する。
（実施の形態１）
図１および図２を参照して、本実施の形態の給湯器１は、燃焼装置２と、送風部３と、熱交換器４とを主に有している。燃焼装置２は、ガスを燃焼させることにより火炎を生じさせるためのものである。送風部３は、燃焼装置２に燃焼用空気を供給するためのものであって、たとえばファン、ファンケース、ファンモータなどを有している。熱交換器４は燃焼装置２の上部に配置されており、配管内の冷媒（湯水）と燃焼装置２で生じた燃焼ガスとの間で熱交換を行わせるためのものである。
【００２４】
なお本実施の形態においては、ガスを燃料とする燃焼装置について説明するが、燃料はガスに限らず、気化された石油などの液体燃料でも構わない。
【００２５】
図３および図４を参照して、燃焼装置２は、バーナケース１１と、複数のバーナ１２と、点火プラグ１３と、フレームロッド１４とを主に有している。
【００２６】
バーナケース１１は、底板に送風部３からの空気を内部に取り込むための孔１１ａを有している。またバーナケース１１は、孔１１ａから入った空気の通路とバーナ１２の格納部とを仕切るための仕切り板１１ｂを有している。仕切り板１１ｂには複数の貫通孔１１ｃが設けられており、この貫通孔１１ｃにより、孔１１ａからバーナケース１１内に入った空気の通路と複数のバーナ１２の格納部とが繋がっている。
【００２７】
複数のバーナ１２の各々は、仕切り板１１ｂに支持されて、バーナケース１１内に格納されている。複数のバーナ１２の各々のガス流入口２１ａ、２１ｂは、それぞれバーナケース１１の壁面に設けられた開口部１１ｄ、１１ｅに接続されている。
【００２８】
複数のバーナ１２の上方には、点火プラグ１３およびフレームロッド１４が配置されている。点火プラグ１３およびフレームロッド１４の各々は、バーナケース１１の壁面１１Ｂに取り付けられている。
【００２９】
点火プラグ１３は、バーナ１２に設けられた点火ターゲットとの間で点火スパークを生じさせることにより、バーナ１２から噴き出された燃料空気混合気に火炎を生じさせるためのものである。フレームロッド１４は、バーナ１２で生じた火炎の間に交流電圧を印加し火炎のイオン化による導電性、整流作用を利用して、フレームロッド１４から火炎へ流れる直流電流（以下、炎電流という）を検知することにより火炎の有無を検出するためのものである。
【００３０】
図５および図６を参照して、複数のバーナ１２の各々は、いわゆる濃淡バーナである。濃淡バーナとは、空気比１より燃料の希薄な燃料空気混合気（以下、淡ガスを呼ぶ）と、空気比１より燃料の濃い燃料空気混合気（以下、濃ガスと呼ぶ）とを燃焼させるＮＯXバーナのことである。
【００３１】
この濃淡バーナ１２は、本体ユニット２１と、左右１対の側濃バーナユニット２２ａ、２２ｂと、中央濃バーナユニット２３と、左右１対の淡バーナユニット２４ａ、２４ｂとを主に有している。
【００３２】
本体ユニット２１には、淡ガスのガス流入口２１ａと、濃ガスのガス流入口２１ｂとが設けられている。淡ガスのガス流入口２１ａは本体ユニット２１内の淡ガス通路２１ｃに通じている。濃ガスのガス流入口２１ｂは本体ユニット２１内の濃ガス通路２１ｄに通じている。この濃ガス通路２１ｄに通じるように本体ユニット２１の左右に１対の開口部２１ｅ、２１ｅが設けられている。
【００３３】
上記の開口部２１ｅを覆うように本体ユニット２１の左右の各々に１対の側濃バーナユニット２２ａ、２２ｂが取り付けられている。これにより、本体ユニット２１の外壁と側濃バーナユニット２２ａ、２２ｂの各内壁との間の空間は、濃ガスの通路となる。つまり濃ガスのガス流入口２１ｂから供給された濃ガスは、濃ガス通路２１ｄに入った後、左右１対の開口部２１ｅ、２１ｅから本体ユニット２１の外壁と側濃バーナユニット２２ａ、２２ｂの各内壁との間の空間に入り、端部濃炎孔部２２ａａ、２２ｂａから噴き出される。
【００３４】
中央濃バーナユニット２３は、下端に濃ガス通路差し込み部２３ｂを有しており、この濃ガス通路差し込み部２３ｂに内部通路に通じる開口部２３ｃが形成されている。中央濃バーナユニット２３は本体ユニット２１の淡ガス通路２１ｃ内に挿入されており、これにより開口部２３ｃが設けられた濃ガス通路差し込み部２３ｂが本体ユニット２１の濃ガス通路２１ｄに達している。これによりガス流入口２１ｂから濃ガス通路２１ｄに入った濃ガスは開口部２３ｃから中央濃バーナユニット２３の内部通路に入り、中央濃バーナユニット２３の濃炎孔部２３ａから噴き出される。
【００３５】
本体ユニット２１の淡ガス通路２１ｃ内には１対の淡バーナユニット２４ａ、２４ｂが挿入されている。１対の淡バーナユニット２４ａ、２４ｂのそれぞれは、淡ガス通路２１ｃ内において中央濃バーナユニット２３の左右に位置している。これにより淡ガスのガス流入口２１ａから淡ガス通路２１ｃに達した淡ガスは１対の淡バーナユニット２４ａ、２４ｂの下端部から淡バーナユニット２４ａ、２４ｂの内部通路に入り、淡バーナユニット２４ａ、２４ｂの各々の淡炎孔部２４ａａ、２４ｂａから噴き出される。
【００３６】
図７を参照して、上記より、本体ユニット２１の外壁と側濃バーナユニット２２ａの内壁との間の端部濃炎孔部２２ａａにて濃炎が形成され、本体ユニット２１の外壁と側濃バーナユニット２２ｂの内壁との間の端部濃炎孔部２２ｂａにて濃炎が形成される。また中央濃バーナユニット２３の濃炎孔部２３ａにて濃炎が形成される。また淡バーナユニット２４ａ、２４ｂの各々の淡炎孔部２４ａａ、２４ｂａにて淡炎が形成される。つまり濃淡バーナ１２は、その幅方向Ｗに沿って端部濃炎孔部２２ａａ−淡炎孔部２４ａａ−中央濃炎孔部２３ａ−淡炎孔部２４ｂａ−端部濃炎孔部２２ｂａの順で配置された炎孔部を有している。
【００３７】
図２を参照して、この給湯器１においては、給湯器１の周囲の空気が送風部３の側部から取り込まれて、燃焼装置２のバーナケース１１の底板に設けられた孔１１ａを通じてバーナケース１１内に入る。バーナケース１１内に入った空気の一部は、バーナケース１１内に配置された複数のバーナ１２の各々のガス流入口２１ａ、２１ｂの各々から一次空気として燃料ガスとともにバーナ１２内に供給される。またバーナケース１１内に入った空気の残りの部分は、空気の通路とバーナ１２の格納部とを仕切る仕切り板１１ｂに設けられた貫通孔１１ｃからバーナ１２の格納部へ二次空気として供給される。
【００３８】
図７を参照して、上記のように二次空気が供給されるため、濃淡バーナ１２の幅方向の外側が二次空気の通過部となる。なお中央濃バーナユニット２３および１対の淡バーナユニット２４ａ、２４ｂのそれぞれが本体ユニット２１の淡ガス通路２１ｃ内に挿入されているため、淡炎孔部２４ａａと中央濃炎孔部２３ａとの間および淡炎孔部２４ｂａと中央濃炎孔部２３ａとの間には二次空気が流れないように構成されている。また淡炎孔部２４ａａと端部濃炎孔部２２ａａとの間および淡炎孔部２４ｂａと端部濃炎孔部２２ｂａとの間にも二次空気が流れないように構成されている。
【００３９】
図８を参照して、幅方向Ｗに沿って複数の濃淡バーナ１２が配置されている。これにより、各濃淡バーナ１２の上記炎孔部の配置（端部濃炎孔部２２ａａ−淡炎孔部２４ａａ−中央濃炎孔部２３ａ−淡炎孔部２４ｂａ−端部濃炎孔部２２ｂａ）が幅方向Ｗに沿って繰り返されている。複数の濃淡バーナ１２の間には、二次空気が通過するための二次空気通過部が配置されている。
【００４０】
点火プラグ１３およびフレームロッド１４の各々は、バーナケース１１の上記幅方向Ｗに沿って延びる壁面１１Ｂに取り付けられており、その壁面１１Ｂから複数の濃淡バーナ１２の配置領域の真上に突き出すように延びている。またフレームロッド１４の先端は、たとえばフレームロッド１４が取り付けられた壁面１１Ｂに沿う方向（壁面１１Ｂにたとえば略平行な方向）に曲げられている。
【００４１】
図８および図９を参照して、濃淡バーナ１２には、点火ターゲット１５が形成されている。この点火ターゲット１５は、点火プラグ１３に高電圧を印加して高圧放電を行う際に、点火プラグ１３の先端１３Ａから点火ターゲット１５に向けて高圧放電を行わせる（点火ターゲット１５に向けて点火スパークを生じさせる）ためのものである。
【００４２】
点火ターゲット１５は、たとえば側濃バーナユニット２２ａの平坦な上端から上方に突き出すように、奥行き方向で淡炎孔部２４ａａの絞り部（非噴出部）２４ａｂの横（バーナケース１１の壁面１１Ｂからの距離が略同じ位置）に設けられている。点火プラグ１３により点火ターゲット１５に向けて高圧放電を行わせることにより、点火プラグ１３の先端１３Ａから点火ターゲット１５に向けて点火スパークが生じる。その点火スパークにより、端部濃炎孔部２２ａａから噴出する濃ガスが点火する。
【００４３】
点火ターゲット１５は、バーナケース１１の点火プラグ１３が取り付けられた壁面１１Ｂから離れた位置に配置されている。点火プラグ１３の先端１３Ａは点火ターゲット１５よりもバーナケース１１の点火プラグ１３が取り付けられた壁面１１Ｂから遠い位置に配置されている。
【００４４】
図１０を参照して、上記において点火プラグ１３の先端１３Ａが点火ターゲット１５よりも壁面１１Ｂから遠い位置に配置されているとは、平面視において（各炎孔からのガスの噴射方向の真上から濃淡バーナ１２を見た場合において）点火ターゲット１５の長手方向Ｌの中心部を通り、かつ壁面１１Ｂに平行な方向に伸びる仮想の中心線Ａ−Ａよりも点火プラグ１３の先端１３Ａが壁面１１Ｂから遠い位置にあることを意味する。
【００４５】
上記において点火プラグ１３の先端１３Ａとは、点火プラグ１３が断面円形の芯線よりなる場合には、その芯線の先端に位置する円形の端面（外周縁）を意味する。また長手方向Ｌとは、図１０に示す平面視において壁面１１Ｂの主たる面に平行な幅方向Ｗに直交する方向を意味する。
【００４６】
上記において点火プラグ１３の先端１３Ａは、仮想の中心線Ａ−Ａよりも壁面１１Ｂから離れていれば、壁面１１Ｂから遠い側の点火ターゲット１５の端部の位置（仮想のＢ−Ｂ線）上の位置（たとえば位置Ｐ２）に位置していてもよい。また点火プラグ１３の先端１３Ａは、壁面１１Ｂから遠い側の点火ターゲット１５の端部の位置（仮想のＢ−Ｂ線）よりも壁面１１Ｂから離れた位置（たとえば位置Ｐ３）に配置されていることが好ましい。
【００４７】
また平面視において点火プラグ１３の先端１３Ａは、淡炎孔部２４ａａの節目２４ａｃと重複する位置（たとえば位置Ｐ２、Ｐ３）に配置されていることが好ましい。この淡炎孔部２４ａａの節目２４ａｃとは、淡炎孔部２４ａａの噴出部から絞り部（非噴出部）２４ａｂへ向けて幅方向Ｗの寸法が小さくなる領域を意味する。点火プラグ１３の先端１３Ａから点火ターゲット１５に向けて生じた点火スパークは、節目２４ａｃから、点火ターゲット１５に向け、ガス濃度が異なる領域を順々に横切っていくので、安定した点火が可能になる。また、これに代えて、点火プラグ１３の先端１３Ａを淡炎孔部２４ａａの絞り部（非噴出部）２４ａｂの横に、点火ターゲット１５を節目２４ａｃの横に配置するのでもよい。
【００４８】
端部濃炎孔部２２ａａは、長手方向Ｌに沿って配置された複数の濃炎孔用孔部（噴出口）２２ａａ1、２２ａａ2、２２ａａ3、…を有している。また端部濃炎孔部２２ｂａは、長手方向Ｌに沿って配置された複数の濃炎孔用孔部（噴出口）２２ｂａ1、２２ｂａ2、２２ｂａ3、…を有している。
【００４９】
点火ターゲット１５は、壁面１１Ｂに最も近い濃炎孔用孔部２２ａａ1ではなく、壁面１１Ｂから２番目に近い濃炎孔用孔部２２ａａ2に形成されていることが好ましい。また点火ターゲット１５が設けられた濃炎孔用孔部２２ａａ2の長手方向Ｌの寸法Ｌ１２は、他の濃炎孔用孔部２２ａａ1、２２ａａ3の長手方向の寸法（Ｌ１１など）よりも大きいことが好ましい。
【００５０】
次に、本実施の形態の作用効果について比較例と対比して説明する。
図１０を参照して、使用年数とともに濃淡バーナ１２の炎孔部に堆積する析出物は主に、バーナケース１１の壁面沿いに堆積しやすい傾向があることが分かった。このため、点火ターゲット１５よりも壁面１１Ｂに近い位置（たとえば位置Ｐ４）に点火プラグ１３の先端１３Ａが配置されると、点火ターゲット１５の設けられた濃炎孔用孔部が析出物により閉塞されて混合気が噴出しにくくなり、点火プラグ１３による点火が困難となる。
【００５１】
これに対して本実施の形態においては、点火ターゲット１５よりも壁面１１Ｂから遠い位置（たとえば位置Ｐ２、Ｐ３）に点火プラグ１３の先端１３Ａが配置されている。このため、点火ターゲット１５が形成された濃炎孔用孔部２２ａａ2の付近に析出物が堆積しにくくなり、点火プラグ１３による点火が容易となる。
【００５２】
また点火ターゲット１５は、壁面１１Ｂに最も近い濃炎孔用孔部２２ａａ1ではなく、壁面１１Ｂから２番目に近い濃炎孔用孔部２２ａａ2に形成されている。上述したように析出物はバーナケース１１の壁面に沿って堆積するため、壁面１１Ｂに最も近い濃炎孔用孔部２２ａａ1の配置された領域（図１０の領域Ｒ１）には析出物が堆積しやすいが、壁面１１Ｂから２番目に近い濃炎孔用孔部２２ａａ2では析出物が堆積しにくい。このため、点火ターゲット１５を壁面１１Ｂから２番目に近い濃炎孔用孔部２２ａａ2に形成することにより、壁面１１Ｂに最も近い濃炎孔用孔部２２ａａ1に形成する場合よりも析出物の影響を減らすことが可能となる。
【００５３】
また図９に示すように、点火プラグ１３の先端部分は熱変形などにより図中破線で示すように垂れ下がる場合がある。このような場合に、図１０のたとえば位置Ｐ４に示すように平面視において点火プラグ１３の先端１３Ａが淡炎孔部２４ａａに近い位置に配置されていると、上記点火プラグ１３の垂れ下がりにより点火プラグ１３の先端１３Ａが淡炎孔部２３ａの噴出口と高さ方向において接近する。これにより、点火プラグ１３の先端１３Ａから淡炎孔部２３ａの噴出口に向けて点火スパークが飛びやすくなる。しかし、淡炎孔部２３ａから噴出する淡ガスにおいては燃料が希薄であるため、淡炎孔部２３ａから噴出する淡ガスに点火スパークが飛んでも点火が生じにくく、着火不良が生じやすくなる。
【００５４】
これに対して本実施の形態においては、図１０に示すように平面視において点火プラグ１３の先端１３Ａが淡炎孔部２４ａａの節目２４ａｃと重複する位置（たとえば位置Ｐ２、Ｐ３）に配置されている。この節目２４ａｃには、隣に位置する端部濃炎孔部２２ａａの濃炎孔用孔部２２ａａ2から濃ガスが拡散してきやすい。このため点火プラグ１３の先端部分が熱変形などで垂れ下がり、点火プラグ１３の先端１３Ａが淡炎孔部２３ａの噴出口と高さ方向に接近しても、点火スパークの付近に濃ガスが拡散しており、濃ガス中では燃料が濃いため、点火が生じやすくなり着火不良が生じにくくなる。
【００５５】
また点火プラグ１３の先端１３Ａを淡炎孔部２４ａａの節目２４ａｃと重複する位置に配置することで、点火プラグ１３の先端１３Ａが設定位置からずれた場合でも濃ガスが存在する場所を点火スパークが通過できるため、着火不良が生じにくくなる。
【００５６】
また点火プラグ１３は、その先端１３Ａが壁面１１Ｂから２番目に近い濃炎孔用孔部２２ａａ2の真上にまで延びており、３番目の濃炎孔用孔部２２ａａ3の真上にまでは延びていない。これにより、点火プラグ１３の長さを抑えることができ、点火プラグ１３が自重で垂れ下がることを抑制することができる。
【００５７】
また図１０に示すように点火ターゲット１５は薄板であるため製造時や経年変化により変形する恐れがある。この場合、点火ターゲット１５が端部濃炎孔部２２ａａの噴出口（濃炎孔用孔部２２ａａ2）の一部を閉塞し、かつ変形した点火ターゲット１５に向けて点火スパークが生じる。このため、点火プラグ１３の先端１３Ａが点火ターゲット１５の中心線Ａ−Ａ上に位置する場合（たとえば位置Ｐ１に配置された場合）、濃ガスが拡散していない場所に向けて点火スパークが生じることになり、着火不良が生じやすい。
【００５８】
これに対して本実施の形態においては、点火ターゲット１５よりも壁面１１Ｂから遠い位置（たとえば位置Ｐ２、Ｐ３）に点火プラグ１３の先端１３Ａが配置されている。つまり点火プラグ１３の先端１３Ａは点火ターゲット１５よりも長手方向Ｌにずれた位置に配置されている。このため、点火ターゲット１５が変形により端部濃炎孔部２２ａａの噴出口（濃炎孔用孔部２２ａａ2）の一部を閉塞した場合でも、点火プラグ１３の先端１３Ａから点火ターゲット１５に向かう点火スパークは濃ガスが拡散している場所を通過するため着火不良が生じにくくなる。
【００５９】
また図１０に示すように点火ターゲット１５が形成された２番目の濃炎孔用孔部２２ａａ2の長手方向Ｌの寸法Ｌ１２は、他の濃炎孔用孔部２２ａａ1、２２ａａ3の長手方向の寸法（Ｌ１１など）よりも大きい。このため、２番目の濃炎孔用孔部２２ａａ2に析出物が落下してきたとしても、その析出物は２番目の濃炎孔用孔部２２ａａ2を通り抜けて下側へ落ちやすくなる。よって、点火ターゲット１５が形成された２番目の濃炎孔用孔部２２ａａ2が析出物によって閉塞されにくくなり、析出物による着火不良が生じにくくなる。
【００６０】
また淡ガス中には燃料が希薄であるため、淡炎孔部を構成する部材（たとえば淡バーナユニット２４ａ、２４ｂ）に点火ターゲット１５を設けても着火しにくい。一方、濃ガス中には燃料が濃いため、濃炎孔部を構成する部材に点火ターゲット１５を形成すると着火が容易となる。しかし、中央濃炎孔部２３ａは淡炎孔部に挟まれており炎孔部のサイズが大きいと振動燃焼の発生を生じることがある。振動燃焼を生じないようにするには、中央濃炎孔部２３ａの各噴出口を細分化して中央濃炎孔部２３ａで生じる火炎を安定化させる必要がある。
【００６１】
しかし中央濃炎孔部２３ａの各噴出口を細分化すると、各噴出口の長手方向Ｌの寸法が小さくなり、各噴出口が析出物で詰まりやすくなる。そのため、中央濃炎孔部２３ａを構成する部材（中央濃バーナユニット２３）に点火ターゲット１５を形成すると、各噴出口が析出物で詰まって濃ガスが出にくくなることにより着火が生じにくくなる場合がある。
【００６２】
これに対して本実施の形態においては、図１０に示すように端部濃炎孔部２２ａａを構成する部材（側濃バーナユニット２２ａ）に点火ターゲット１５が形成されている。端部濃炎孔部２２ａａは一方側部には淡炎孔部があるが他方側部は二次空気の通過部となっている。この二次空気の流速はそれほど速くないため端部濃炎孔部２２ａａで生じる火炎は中央濃炎孔部２３ａで生じる火炎よりも安定しやすく、振動燃焼も生じにくい。このため、端部濃炎孔部２２ａａは中央濃炎孔部２３ａより細分化する必要はなく、端部濃炎孔部２２ａａの各噴出口（濃炎孔用孔部）の長手方向の寸法（Ｌ１１、Ｌ１２など）を大きく維持できる。よって、端部濃炎孔部２２ａａの各噴出口が析出物で詰まりにくくなり、着火が容易となる。
【００６３】
（実施の形態２）
図１１〜図１３を参照して、本実施の形態の構成は、図８〜図１０に示す実施の形態１の構成と比較して、点火ターゲット１５と点火プラグ１３の先端１３Ａとの位置において異なっている。
【００６４】
図１１〜図１３を参照して、本実施の形態においては、点火ターゲット１５は、端部濃炎孔部２２ａａ、２２ｂａではなく、中央濃炎孔部２３ａに形成されている。この点火ターゲット１５は、具体的には中央濃炎孔部２３ａを構成する中央濃バーナユニット２３の平坦な上面において上側に突き出すように形成されている。
【００６５】
中央濃炎孔部２３ａは、長手方向Ｌに沿って分割された複数の濃炎孔用孔部（噴出口）２３ａ1、２３ａ2、２３ａ3、２３ａ4、２３ａ5、２３ａ6、…を有している。点火ターゲット１５は、バーナケース１１の点火プラグ１３が取り付けられた壁面１１Ｂからたとえば３つ目の濃炎孔用孔部２３ａ3と４つ目の濃炎孔用孔部２３ａ4との間に配置されている。
【００６６】
また点火プラグ１３は、その先端１３Ａが中央濃炎孔部２３ａの真上に位置するように配置されている。点火プラグ１３の先端１３Ａは点火ターゲット１５よりもバーナケース１１の点火プラグ１３が取り付けられた壁面１１Ｂから遠い位置に配置されている。点火プラグ１３の先端１３Ａは、たとえば壁面１１Ｂから４つ目の濃炎孔用孔部２３ａ4の真上に位置している。
【００６７】
図１３を参照して、上記において点火プラグ１３の先端１３Ａが点火ターゲット１５よりも壁面１１Ｂから遠い位置に配置されているとは、平面視において（各炎孔からのガスの噴射方向の真上から濃淡バーナ１２を見た場合において）点火ターゲット１５の長手方向Ｌの中心部を通り、かつ壁面１１Ｂに平行な方向に伸びる仮想の中心線Ａ−Ａよりも点火プラグ１３の先端１３Ａが壁面１１Ｂから遠い位置にあることを意味する。
【００６８】
上記において点火プラグ１３の先端１３Ａは、仮想の中心線Ａ−Ａよりも壁面１１Ｂから離れていれば、壁面１１Ｂから遠い側の点火ターゲット１５の端部の位置（仮想のＢ−Ｂ線）上の位置（たとえば位置Ｐ２）に位置していてもよい。また点火プラグ１３の先端１３Ａは、壁面１１Ｂから遠い側の点火ターゲット１５の端部の位置（仮想のＢ−Ｂ線）よりも壁面１１Ｂから離れた位置（たとえば位置Ｐ３）に配置されていることが好ましい。
【００６９】
また図１３に示すように平面視において点火プラグ１３の先端１３Ａは、淡炎孔部２４ｂａの節目２４ｂｃ（または淡炎孔部２４ａａの節目２４ａｃ）と重複する位置に配置されていることが好ましい。この淡炎孔部２４ｂａの節目２４ｂｃとは、淡炎孔部２４ｂａの噴出部から絞り部（非噴出部）２４ｂｂへ向けて幅方向Ｗの寸法が小さくなる領域を意味する。
【００７０】
また点火プラグ１３は、その先端１３Ａが中央濃炎孔部２３ａの真上および中央濃炎孔部２３ａと淡炎孔部２４ｂａとに挟まれる領域の真上に位置するように配置されていることが好ましい。
【００７１】
なお、これ以外の本実施の形態の構成は、実施の形態１の構成とほぼ同じであるため、同一の要素については同一の符号を付し、その説明を繰り返さない。
【００７２】
次に、本実施の形態の作用効果について説明する。
図１３を参照して、本実施の形態においても、実施の形態１と同様、点火ターゲット１５よりも壁面１１Ｂから遠い位置に点火プラグ１３の先端１３Ａが配置されている。このため、壁面沿いに堆積しやすい析出物の影響を抑えて濃淡バーナ１２への点火を容易にすることができる。
【００７３】
また点火ターゲット１５は、壁面１１Ｂから３番目の濃炎孔用孔部２３ａ3と４番目の濃炎孔用孔部２３ａ4との間に形成されている。このように点火ターゲット１５が壁面１１Ｂから離れて形成されていることにより、壁面１１Ｂにより近い位置に点火ターゲット１５が形成される場合よりも析出物の影響を減らすことが可能となる。
【００７４】
また図１３に示すように、平面視において点火プラグ１３の先端１３Ａが淡炎孔部２４ｂａの節目２４ｂｃと重複する位置に配置されている。このため、点火プラグ１３の先端部分が熱変形などで垂れ下がり、点火プラグ１３の先端１３Ａが淡炎孔部２４ｂａの噴出口と高さ方向に接近しても、点火スパークの付近に濃ガスが拡散しており、濃ガス中では燃料が濃いため、点火が生じやすくなり着火不良が生じにくくなる。
【００７５】
また点火プラグ１３の先端１３Ａが淡炎孔部２４ｂａの節目２４ｂｃと重複する位置に配置されているため、点火プラグ１３の先端１３Ａが設定位置からずれた場合でも濃ガスが存在する場所を点火スパークが通過できるため、着火不良が生じにくくなる。
【００７６】
また本実施の形態においては、点火ターゲット１５が中央濃炎孔部２３ａに形成されている。中央濃炎孔部２３ａは幅方向Ｗの両側において淡炎孔部２４ａａ、２４ｂａで挟み込まれているため、端部濃炎孔部２２ａａ、２２ｂａよりも二次空気通過部から離れている。このため中央濃炎孔部２３ａにおいては端部濃炎孔部２２ａａ、２２ｂａよりも火炎が安定して形成されやすい。よって、点火ターゲット１５を中央濃炎孔部２３ａに形成することにより点火性能を安定化させることが可能となる。
【００７７】
図１１に示す構成においては、点火ターゲット１５を壁面１１Ｂから３番目の噴出口２３ａ3と４番目の噴出口２３ａ4との間に形成した場合について説明したが、図１４に示すように３番目と４番目の濃炎孔用孔部を一体化した濃炎孔用孔部２３ａ34とし、その濃炎孔用孔部２３ａ34に点火ターゲット１５が形成されてもよい。
【００７８】
この構成によれば、３番目と４番目の濃炎孔用孔部を一体化して濃炎孔用孔部２３ａ34とすることにより、この濃炎孔用孔部２３ａ34の長手方向の寸法Ｌ２３を他の濃炎孔用孔部２３ａ1、２３ａ2、２３ａ5、２３ａ6の長手方向の寸法（Ｌ２１、Ｌ２２、Ｌ２４など）よりも大きくすることができる。このため、一体化された濃炎孔用孔部２３ａ34に析出物が落下してきたとしても、この濃炎孔用孔部２３ａ34を通り抜けて下側へ落ちやすくなる。よって、点火ターゲット１５が形成された一体化した濃炎孔用孔部２３ａ34が析出物によって閉塞されにくくなり、析出物による着火不良が生じにくくなる。
【００７９】
なお一体化された濃炎孔用孔部２３ａ34の長手方向Ｌの寸法Ｌ２３は、その濃炎孔用孔部２３ａ34の幅方向Ｗの隣に位置する端部濃炎孔部２２ａａ、２２ｂａの各々の２番目の濃炎孔用孔部２２ａａ2、２２ｂａ2の長手方向Ｌの寸法と同じ長さであってもよい。
【００８０】
なお上記の実施の形態１および２の双方において点火ターゲット１５を形成しない構成も考えられるが、この場合には点火プラグの先端から生じた点火スパークの飛ぶ方向が安定しない。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００８２】
本発明は、濃淡バーナを用いた燃焼装置および給湯器により有利に適用され得る。
【符号の説明】
【００８３】
１  給湯器、２  燃焼装置、３  送風部、４  熱交換器、１１  バーナケース、１１Ａ，１１Ｂ  壁面、１１ａ  孔、１１ｂ  仕切り板、１１ｃ  貫通孔、１１ｄ，１１ｅ  開口部、１２  濃淡バーナ、１３  点火プラグ、１３Ａ  点火プラグの先端、１４  フレームロッド、１５  点火ターゲット、２１  本体ユニット、２１ａ，２１ｂ  ガス流入口、２１ｃ，２１ｄ  ガス通路、２１ｅ，２３ｃ  開口部、２２ａ，２２ｂ  側濃バーナユニット、２３  中央濃バーナユニット、２４ａ，２４ｂ  淡バーナユニット、２２ａａ1，２２ａａ2，２２ａａ3，２２ｂａ1，２２ｂａ2，２２ｂａ3  濃炎孔用孔部（噴出口）、２２ａａ，２２ｂａ  端部濃炎孔部、２３ａ  中央濃炎孔部、２３ａ1，２３ａ2，２３ａ3，２３ａ4，２３ａ5，２３ａ6，２３ａ34  濃炎孔用孔部（噴出口）、２４ａａ，２４ｂａ  淡炎孔部、２３ｂ  ガス通路差し込み部、２４ａｂ，２４ｂｂ  絞り部（非噴出部）、２４ｂｃ  節目。
【図１】
0005983022.tif 000002
【図２】
0005983022.tif 000003
【図３】
0005983022.tif 000004
【図４】
0005983022.tif 000005
【図５】
0005983022.tif 000006
【図６】
0005983022.tif 000007
【図７】
0005983022.tif 000008
【図８】
0005983022.tif 000009
【図９】
0005983022.tif 000010
【図１０】
0005983022.tif 000011
【図１１】
0005983022.tif 000012
【図１２】
0005983022.tif 000013
【図１３】
0005983022.tif 000014
【図１４】
0005983022.tif 000015